(57)【要約】【課題】簡単な構造で、プラスチック製のドーム型カバー部に傷を付けることなく、ドーム型カバー部に付着した埃や水滴を取り除いて、ドーム型カバー部を清掃する。【解決手段】少なくとも監視カメラが内蔵されたハウジング本体１０と、ハウジング本体１０の一面１０ａに設けられた透明なプラスチック製の半球面状のドーム型カバー部２０と、ハウジング本体１０に回動可能に設けられ、ドーム型カバー部２０を清掃するワイパー機構３０と、ワイパー機構３０を往復回動駆動させるワイパー駆動部４０とを備え、ワイパー機構４０は、ドーム型カバー部２０の曲面に沿う円弧面を有するシリコンゴム製のワイパーブレード３３と、両端部がハウジング本体１０のドーム型カバー部２０の底面に平行な中心軸周りに回動可能に設けられ、ワイパーブレード３３がドーム型カバー部２０側に所定長さ突出されて取り付けられるワイパーアーム３１，３４とを有する。【選択図】図３
2015126526.tif 000002
【特許請求の範囲】
【請求項１】
少なくとも監視カメラが内蔵されたハウジング本体と、
上記ハウジング本体の一面に設けられた透明なプラスチック製の半球面状のドーム型カバー部と、
上記ハウジング本体に回動可能に設けられ、上記ドーム型カバー部を清掃するワイパー機構と、
上記ワイパー機構を往復回動駆動させるワイパー駆動部とを備え、
上記ワイパー機構は、上記ドーム型カバー部の曲面に沿う円弧面を有するシリコンゴム製のワイパーブレードと、両端部が上記ハウジング本体の上記ドーム型カバー部の底面に平行な中心軸周りに回動可能に設けられ、上記ワイパーブレードが上記ドーム型カバー部側に所定長さ突出されて取り付けられるワイパーアームとを有することを特徴とする監視カメラ装置。
【請求項２】
上記ワイパーブレードは、一対の上記ワイパーアームに挟持されて取り付けられ、該ワイパーブレードの厚さ中心が上記ワイパー駆動部の回転軸の軸線と一致していることを特徴とする請求項１に記載の監視カメラ装置。
【請求項３】
上記ワイパー機構は、上記一対のワイパーアーム間に、該一対のワイパーアームを締結する締結部材が嵌合される抜け止めシートを更に有することを特徴とする請求項２に記載の監視カメラ装置。
【請求項４】
上記ワイパー駆動部を制御する制御部を更に備え、
上記制御部は、上記ワイパー駆動部を駆動させて、上記ワイパー機構を奇数回駆動させることを特徴とする請求項１乃至３の何れかに記載の監視カメラ装置。
【請求項５】
上記ワイパーアームの内周面は、上記ワイパーブレード上に溜まった液体を主面部を経由して外周面側から排水する排水傾斜面を有することを特徴とする請求項１乃至４の何れかに記載の監視カメラ装置。
【発明の詳細な説明】
【技術分野】
【０００１】
本発明は、監視カメラ等が内蔵されるハウジング本体の一面にプラスチック製のドーム型カバー部が設けられた監視カメラ装置に関する。
【背景技術】
【０００２】
プラスチック製の半球面状のクリアードーム窓を有するドームカメラのハウジング内に監視カメラ等が内蔵された監視カメラ装置は、屋外、特に路上に設けられているので、監視カメラの映像を透過させるクリアードーム窓の表面に、埃がついたり、降雨の時に水滴がついたりする。プラスチック製の半球面状のクリアードーム窓は、従来のガラス製の半球面状のクリアードーム窓よりも、傷が付き易い。
【０００３】
そこで、特許文献１の監視カメラ装置では、ハウジングに回動可能に支持された円弧状のワイパーアームの内側に吐出孔が形成されており、ワイパーアームがワイパー駆動部によって往復運動されている際に、プラスチック製のクリアードーム窓に向けて高圧流体を噴出することで、クリアードーム窓に傷を付けることなく、クリアードーム窓に付着された埃や水滴を取り除き、クリアードーム窓をクリアーにして映像を明瞭に撮像できるようにしている。しかしながら、特許文献１の監視カメラ装置では、高圧流体を噴出するために、コンプレッサ等を必要とするため、大がかりとなってしまう。
【先行技術文献】
【特許文献】
【０００４】
【特許文献１】特開２００６−１９８６０２号公報
【発明の概要】
【発明が解決しようとする課題】
【０００５】
本発明は、以上のような問題点に鑑みてなされたものであり、簡単な構造で、プラスチック製のドーム型カバー部に傷を付けることなく、ドーム型カバー部に付着した埃や水滴を取り除いて、清掃可能な監視カメラ装置を提供することを目的とする。
【課題を解決するための手段】
【０００６】
本発明に係る監視カメラ装置は、少なくとも監視カメラが内蔵されたハウジング本体と、上記ハウジング本体の一面に設けられた透明なプラスチック製の半球面状のドーム型カバー部と、上記ハウジング本体に回動可能に設けられ、上記ドーム型カバー部を清掃するワイパー機構と、上記ワイパー機構を往復回動駆動させるワイパー駆動部とを備え、上記ワイパー機構は、上記ドーム型カバー部の曲面に沿う円弧面を有するシリコンゴム製のワイパーブレードと、両端部が上記ハウジング本体の上記ドーム型カバー部の底面に平行な中心軸周りに回動可能に設けられ、上記ワイパーブレードが上記ドーム型カバー部側に所定長さ突出されて取り付けられるワイパーアームとを有する。
【発明の効果】
【０００７】
本発明は、プラスチック製のドーム型カバー部を清掃するワイパーブレード部材をドーム型カバー部の曲面に沿う円弧面を有するシリコンゴム製にすることにより、簡単な構造で、ドーム型カバー部に傷を付けることなく、ドーム型カバー部に付着した埃や水滴を取り除いて、ドーム型カバー部を清掃することができる。
【図面の簡単な説明】
【０００８】
【図１】監視カメラ装置を示した正面図である。
【図２】監視カメラ装置を示した底面図である。
【図３】ワイパー機構を示した分解斜視図である。
【図４】ワイパー機構の一部を示した正面図である。
【図５】ワイパーブレードの変形例を示した断面図である。
【図６】排水傾斜面を示した側面図である。
【図７】ワイパー駆動部を示したブロック図である。
【図８】（Ａ）、（Ｂ）は、本発明のアーム軸を示した側面図であり、（Ｃ）、（Ｄ）は、参考例のアーム軸を示した側面図である。
【発明を実施するための形態】
【０００９】
以下、本発明を適用した監視カメラ装置について、図面を参照しながら詳細に説明する。なお、本発明は以下の例に限定されるものではなく、本発明の要旨を逸脱しない範囲で任意に変更可能である。
【００１０】
図１及び図２に示すように、本発明を適用した監視カメラ装置１は、建造物等に設置されて主に屋外で使用されるものであって、監視カメラ等が内蔵されるハウジング本体１０と、ハウジング本体１０の一面１０ａに設けられた透明なプラスチック製の半球面状のドーム型カバー部２０と、ハウジング本体１０の一面１０ａに両端部がドーム型カバー部２０の底面（設置面）に平行な直径を通る中心軸周りに回動可能に設けられ、ドーム型カバー部２０の表面に付着した埃や降雨時の水滴を取り除くワイパー機構３０と、ワイパー機構３０を往復回動駆動させるワイパー駆動部４０とを備えている。
【００１１】
ハウジング本体１０は、一面１０ａに開口部を有する円筒状に形成され、内部に、図７に示すように、監視カメラ５０、モータ駆動回路５１、タイマー５２、メモリ５３、コンピュータを主体とした制御回路５４等が内蔵されている。更に、図１及び図２に示すように、ハウジング本体１０の一面１０ａには、開口部を閉塞するように、ドーム型カバー部２０が設けられている。
【００１２】
ドーム型カバー部２０は、ポリカーボネイト等の合成樹脂で半球面状（ドーム型）に形成されており、ハウジング本体１０の一面１０ａの開口部を閉塞するように、ハウジング本体の一面１０ａに設けられている。
【００１３】
ワイパー機構３０は、図３に示すように、ハウジング本体１０の一面１０ａに回動可能に支持された第１のワイパーアーム３１と、第１のワイパーアーム３１の一主面上に設けられた抜け止めシート３２と、抜け止めシート３２の一主面上に設けられ、ワイパー機構３０が回動する際にドーム型カバー部２０の表面に付着した埃や水滴を取り除くワイパーブレード３３と、ワイパーブレード３３の一主面上に設けられた第２のワイパーアーム３４とで構成されており、第１のワイパーアーム３１と第２のワイパーアーム３４とが皿ビス等の締結部材３５によって締結されている。
【００１４】
第１のワイパーアーム３１は、図３に示すように、円弧状の板部材で構成された本体部３１ａと、本体部３１ａの両端部に一体に設けられた取付部３１ｂとを有している。
【００１５】
本体部３１ａは、円弧状に形成されると共に、ドーム型カバー部２０に対向する内周面がドーム型カバー部２０の表面から所定距離離間するように形成されている。更に、本体部３１ａは、一主面に、抜け止めシート３２が積層される。更に、本体部３１ａは、他主面に、所定の間隔をあけて皿ビス等の締結部材３５が挿入されるザグリ孔３１ｃが複数個形成されている。ここでは、本体部３１ａは、厚さが１．７ｍｍ、幅が１０ｍｍとなり、内周面がドーム型カバー部２０の表面から５ｍｍ離間するように形成されている。
【００１６】
取付部３１ｂは、矩形状の板部材で構成されており、本体部３１ａに対して直交するように配置されて、溶接等によって本体部３１ａの両端部に一体に設けられている。更に、取付部３１ｂには、貫通孔３１ｄが形成されている。
【００１７】
従って、ワイパー機構３０は、取付部３１ｂがアーム軸４１ａに締結部材３６等によって締結されることで、アーム軸４１ａに着脱可能に取り付けることができる。よって、例えばワイパーブレード３３の交換作業を行う場合、一般的に監視カメラ装置１が設置されている高所では、ワイパー機構３０をアーム軸４１ａから取り外す作業と取り付ける作業だけを行えば良く、地上等の安定した場所でワイパーブレード３３の交換作業を行うことができ、ワイパーブレード３３の交換作業を安全かつ効率良く行うことができる。
【００１８】
更に、本体部３１ａは、図４に示すように、本体部３１ａ上に抜け止めシート３２及びワイパーブレード３３が載置された際に、ワイパーブレード３３の厚さ中心が貫通孔３１ｄの軸線と一致するように、抜け止めシート３２の厚さとワイパーブレード３３の半分の厚さ分、貫通孔３１ｄの軸線からオフセットして設けられている。例えば、本体部３１ａは、０．３ｍｍの厚さの抜け止めシート３２と０．５ｍｍの厚さのワイパーブレード３３とを使用する場合、貫通孔３１ｄの軸線から０．５５ｍｍ（０．３ｍｍ＋０．２５ｍｍ）オフセットして設けられている。
【００１９】
従って、第１のワイパーアーム３１（本体部３１ａ）をハウジング本体１０の一面１０ａ側に向けてワイパー機構３０をアーム軸４１ａに取り付けても、第２のワイパーアーム３４をハウジング本体１０の一面１０ａ側に向けてワイパー機構３０をアーム軸４１ａに取り付けても、ワイパーブレード３３の厚さ中心をアーム軸４１ａの軸線に一致させることができる。よって、ワイパー機構３０をアーム軸４１ａに取り付ける作業の際には、向きを気にすることなく、取り付けることができ、作業性が良い。
【００２０】
抜け止めシート３２は、図３に示すように、例えば、第１のワイパーアーム３１の本体部３１ａと略同じ円弧状に形成された合成樹脂シートである。ここでは、抜け止めシート３２は、厚さが０．３ｍｍとなるように形成されている。
【００２１】
更に、抜け止めシート３２には、第１のワイパーアーム３１のザグリ孔３１ｃに対応する位置に、締結部材３５が嵌合される嵌合孔３２ａが形成されている。この嵌合孔３２ａは、例えば、締結部材３５の軸部のネジ山が嵌合孔３２ａの周囲と嵌合するように、締結部材３５の谷の径と同じ大きさ又は谷の径以上外径未満の大きさで形成されている。これにより、締結部材３５は、第１のワイパーアーム３１と第２のワイパーアーム３４とを締結する際に、ネジ山が抜け止めシート３２の嵌合孔３２ａの周囲に嵌合される。
【００２２】
従って、抜け止めシート３２は、例えば、ワイパーブレード３３等を取り換えるために第２のワイパーアーム３４を第１のワイパーアーム３１から取り外す際に、締結部材３５が第１のワイパーアーム３１から抜け落ちることを防止することができる。よって、ワイパーブレード３３の取り換え作業を効率良く行うことができる。更に、抜け止めシート３２は、シート状に形成されているので、ワイパーブレード３３が凹凸した状態で第１のワイパーアーム３１と第２のワイパーアーム３４間に挟持されることを防止できる。
【００２３】
ワイパーブレード３３は、図３に示すように、例えば、第１のワイパーアーム３１の本体部３１ａと略同じ円弧状に形成されたシリコンゴム製のシートである。より好ましくは、ワイパーブレード３３は、透明のシリコンゴムで形成されている。ワイパーブレード３３は、透明のシリコンゴムで形成されることにより、耐候性及び難燃性に優れ、屋外環境における高温及び極低温に対する安定性を確保することができる。更に、ワイパーブレード３３は、透明のシリコンゴムで形成されることにより、ワイパーブレード３３の摩擦かすがドーム型カバー部２０の表面に付着しても、映像に影響を与えることを極力抑えることができる。
【００２４】
更に、ワイパーブレード３３には、第１のワイパーアーム３１のザグリ孔３１ｃに対応する位置に、締結部材３５が挿通される挿通孔３３ａが形成されている。
【００２５】
更に、ワイパーブレード３３は、ドーム型カバー部２０に対向する内周面３３ｂがドーム型カバー部２０の曲面に沿う円弧面となるように形成されている。更に、ワイパーブレード３３は、内周面３３ｂが第１のワイパーアーム３１及び第２のワイパーアーム３４の内周面からドーム型カバー部２０側に所定の長さだけ突出するように、第１のワイパーアーム３１と第２のワイパーアーム３４との間に設けられている。
【００２６】
具体的に、ワイパーブレード３３は、厚さが０．５ｍｍ、幅が１８ｍｍとなるように設けられている。従って、ワイパーブレード３３は、第１のワイパーアーム３１の幅が１０ｍｍであるので、内周面３３ｂが第１のワイパーアーム３１及び第２のワイパーアーム３４の内周面から８ｍｍ突出するように、第１のワイパーアーム３１と第２のワイパーアーム３４との間に設けられている。更に、ワイパーブレード３３は、第１のワイパーアーム３１及び第２のワイパーアーム３４の内周面がドーム型カバー部２０の表面から５ｍｍ離間するように形成されているので、３ｍｍ分だけドーム型カバー部２０の表面に重なるように設けられている。
【００２７】
なお、ワイパーブレード３３は、図５に示すように、内周面３３ｂを先細り状（テーパ状）に設けるようにしても良い。これにより、ワイパーブレード３３は、折り返し駆動される際に、ドーム型カバー部２０の表面に対する摩擦が軽減されて、折り返しが容易となる。
【００２８】
第２のワイパーアーム３４は、図４に示すように、例えば、第１のワイパーアーム３１の本体部３１ａと略同じ円弧状に形成された板部材である。ここでは、第２のワイパーアーム３４は、厚さが１．５ｍｍ、幅が１０ｍｍとなるように形成されている。更に、第２のワイパーアーム３４には、第１のワイパーアーム３１のザグリ孔３１ｃに対応する位置に、締結部材３５が螺合されるネジ孔３４ａが形成されている。そして、第２のワイパーアーム３４は、第１のワイパーアーム３１の本体部３１ａ上の抜け止めシート３２に積層されたワイパーブレード３３上に積層された後に、締結部材３５によって第１のワイパーアーム３１に締結される。これにより、第２のワイパーアーム３４は、ワイパーブレード３３を、第１のワイパーアーム３１とで挟持する。
【００２９】
更に、図６に示すように、第２のワイパーアーム３４の内周面には、ワイパーブレード３３に溜まった液体Ｗを排水するための排水傾斜面３４ｂが形成されている。この排水傾斜面３４ｂは、内周面の角部に形成された傾斜面であって、好ましくは、内周面に対して４５度以上の角度を有するように形成されている。
【００３０】
従って、ワイパー機構３０は、排水傾斜面３４ｂにより、ワイパー機構３０が回動された際に、排水傾斜面３４ｂがない場合よりも早く、ワイパーブレード３３に溜まった液体Ｗを、図６中の矢印Ａに示すように、主面部を経由して外周面側から流れ落とすことができる。よって、ワイパー機構３０は、排水傾斜面３４ｂにより、ワイパーブレード３３に溜まった液体Ｗがドーム型カバー部２０に垂れることを確実に防止することができる。
【００３１】
なお、排水傾斜面３４ｂは、内周面に対して４５度以上の角度を有することが好ましいが、４５度以下であっても良い。更に、排水傾斜面３４ｂは、傾斜面であることに限定されるものではなく、排水傾斜面３４ｂがない場合よりも早く、ワイパーブレード３３に溜まった液体を外周面側から流れ落とすことができるものであれば、如何なる形状であっても良く、例えば、曲面であっても良い。
【００３２】
更に、第１のワイパーアーム３１の内周面にも、第２のワイパーアーム３４の排水傾斜面３４ｂと同様の排水傾斜面３１ｅを設けるようにしても良い。
【００３３】
ワイパー駆動部４０は、図７に示すように、ハウジング本体１０の一面１０ａのドーム型カバー部２０の底面（設置面）に平行な直径を通る中心軸上に設けられたアーム軸４１ａ，４１ａと、一方のアーム軸４１ａに設けられたアームギヤー４２ａやモータ軸４３ａに設けられたモータギヤー４２ｂ等のギア群からなる伝達機構４２を介して一方のアーム軸４１ａに連結される駆動モータ４３とで構成されている。
【００３４】
アーム軸４１ａ，４１ａは、図２に示すように、ハウジング本体１０の一面１０ａのドーム型カバー部２０の底面に平行な中心軸上に、ドーム型カバー部２０を挟んで対向するように設けられている。更に、アーム軸４１ａは、軸受等の軸支部材によって回転可能に支持されている。
【００３５】
更に、図３に示すように、アーム軸４１ａの先端部は、断面視が半円状となるように、切り欠かれている。更に、この平面部４１ｂには、アーム軸４１ａの軸線上に対応する位置にネジ孔４１ｃが形成されている。
【００３６】
従って、アーム軸４１ａには、平面部４１ｂに第１のワイパーアーム３１の取付部３１ｂが当接されて、平面部４１ｂと取付部３１ｂとが締結部材３６で締結されることで、ワイパー機構３０を着脱可能に取り付けることができる。よって、例えばワイパーブレード３３の交換作業を行う場合、一般的に監視カメラ装置１が設置されている高所では、ワイパー機構３０をアーム軸４１ａから取り外す作業だけ行えば良く、その後に、地上等の安定した場所でワイパーブレード３３の交換作業を行うことができ、ワイパーブレード３３の交換作業を安全かつ効率良く行うことができる。
【００３７】
更に、図８（Ａ）に示すように、平面部４１ｂは、非使用時に、側方を向くように、すなわち、ハウジング本体１０の一面１０ａと直交するように形成又は設けられている。
【００３８】
従って、ワイパー機構３０は、平面部４１ｂが非使用時に側方を向くように設けられていることに加え、第１のワイパーアーム３１の取付部３１ｂが本体部３１ａに対して直交するように設けられているので、図８（Ａ）に示すように、アーム軸４１ａの一端側で停止しても、図８（Ｂ）に示すように、アーム軸４１ａの他端側で停止しても、締結部材３６の頭部は側方を向いているので、容易にドライバ−等の締結具を締結部材３６の頭部に挿し込むことができ、容易に取り付け取り外しをすることができる。
【００３９】
ここで、図８（Ｃ）に示すように、平面部４１ｂをハウジング本体１０の一面１０ａと平行に設けると共に、第１のワイパーアーム３１の取付部３１ｂを設けずに、本体部３１ａを平面部４１ｂに取り付けて、締結部材３６により締結した場合には、図８（Ｄ）に示すように、ワイパー機構３０がアーム軸４１ａの他端側で停止すると、締結部材３６の頭部がハウジング本体１０側に配置されてしまい、ドライバ−等の締結具を締結部材３６の頭部に挿し込むことができない。従って、このような場合には、ワイパー機構３０を取り外す作業のためだけに、ワイパー機構３０を駆動させる必要がある。
【００４０】
なお、平面部４１ｂをハウジング本体１０の一面１０ａと平行に設けると共に、第１のワイパーアーム３１の取付部３１ｂを設けずに、本体部３１ａを平面部４１ｂに取り付けるようにしても良い。
【００４１】
伝達機構４２は、図７に示すように、例えば、一端側のアーム軸４１ａに設けられたアームギヤー４２ａや、モータ軸４３ａに設けられ、アームギヤー４２ａと噛合されるモータギヤー４２ｂ等で構成される。このような伝達部材４２は、駆動モータ４３からの駆動力をアーム軸４１ａに伝達する。更に、伝達部材４２は、図１及び図２に示すように、ハウジング本体１０内に内蔵されることで、又は、ハウジング本体１０に設けられた伝達機構カバー部材４４によって覆われることで、保護されている。
【００４２】
駆動モータ４３は、伝達機構４２及びアーム軸４１ａを介して、ワイパー機構３０を回動することができるものであれば、従来公知の如何なる駆動モータであっても良く、例えばハウジング本体１０内に内蔵されている。
【００４３】
以上のような構成を有するワイパー駆動部４０は、ハウジング本体１０内に内蔵された制御回路５４等からなる制御部５４によって制御されることにより、ワイパー機構３０を奇数回駆動させる。換言すると、制御部５４は、ワイパー駆動部４０を制御して、ワイパー機構３０を奇数回駆動させる。
【００４４】
具体的に、制御部５４は、外部の監視制御室から駆動信号を検知すると、ワイパー駆動部４０の駆動モータ４３を正転方向及び／又は反転方向に駆動して、ワイパー機構３０を、アーム軸４１ａの一端側から他端側に向けて＋１８０度回動させる、又は、アーム軸４１ａの他端側から一端側に向けて−１８０度回動させることを１回とした場合、１回、３回、５回等、奇数回駆動させて、起動開始側とは反対側の反起動開始側で停止するように回動させる。
【００４５】
例えば、２回、４回、６回等、偶数回駆動させて起動開始側で停止する場合には、ワイパー機構３０が起動開始側から反起動開始側に回動した際に拭いた水滴が、ワイパー機構３０が反起動開始側から起動開始側に回動する際に、ドーム型カバー部２０の反起動開始側の表面に垂れてしまい、ドーム型カバー部２０の反起動開始側の視界が悪くなってしまう。これに対して、奇数回駆動させて、反起動開始側で停止する場合には、このような水滴が垂れることを防止することができる。
【００４６】
なお、監視カメラ装置１は、ワイパー機構３０を、奇数回駆動させて、反起動開始側で停止させることが好ましいが、偶数回駆動させて、起動開始側で停止させるようにしても良い。更に、監視カメラ装置１は、ワイパー機構３０を、奇数回駆動させて、反起動開始側で停止させるのか、偶数回駆動させて、起動開始側で停止させるのかを、適宜選択できるようにしても良い。更に、監視カメラ装置１は、監視制御室からの駆動信号を検知して、ワイパー機構３０を回動させることに加え又は代えて、内蔵するタイマーによって自動的に所定の時間又は間隔でワイパー機構３０を回動させるようにしても良い。
【００４７】
次に、監視カメラ装置１のドーム型カバー部２０の清掃方法について説明する。
【００４８】
先ず、監視カメラ装置１の制御部５４は、例えば、外部の監視制御室から駆動信号を検知すると、駆動モータ４３を正転方向に駆動させて、アーム軸４１ａの一端側に配置されているワイパー機構３０を、アーム軸４１ａの一端側から他端側に向けて＋１８０度回動させる。
【００４９】
次いで、制御部５４は、駆動モータ４３を反転方向に駆動させて、アーム軸４１ａの他端側に配置されているワイパー機構３０を、アーム軸４１ａの他端側から一端側に向けて−１８０度回動させる。
【００５０】
次いで、制御部５４は、駆動モータ４３を再度正転方向に駆動させて、アーム軸４１ａの一端側に配置されているワイパー機構３０を、アーム軸４１ａの一端側から他端側に向けて＋１８０度回動させる。
【００５１】
以上のようにして、監視カメラ装置１は、ワイパー機構３０を奇数回駆動させて、ドーム型カバー部２０に傷を付けることなく、ドーム型カバー部２０の表面に付着した埃や降雨の時の水滴を取り除いて、ドーム型カバー部２０を清掃する。
【００５２】
そして、本件出願人は、監視カメラ装置１において、ワイパーブレード３３を、シリコンゴムで形成し、厚さが０．５ｍｍ、幅が１８ｍｍとなるように設け、幅が１０ｍｍで内周面がドーム型カバー部２０の表面から５ｍｍ離間するように形成された第１及び第２のワイパーアーム３１，３４に挟持すると共に、第１及び第２のワイパーアーム３１，３４の内周面から８ｍｍ突出させて、３ｍｍ分だけドーム型カバー部２０の表面に重なるように設けることで、ポリカーボネイト等のプラスチック製のドーム型カバー部２０の表面に傷を付けることなく、ドーム型カバー部２０の表面に付着した埃や水滴を取り除くことができることを見い出した。更に、本件出願人は、上記構成を有することにより、例えばワイパー機構３０を＋１８０度回動させた後に−１８０度回動させる等のターンの際に、従来よりも抵抗を軽減させることができることを見い出した。
【００５３】
以上のように、監視カメラ装置１は、ワイパーブレード３３がシリコンゴムで形成されていると共にドーム型カバー部２０の表面に一部が重なるように設けられているので、ポリカーボネイト等のプラスチック製のドーム型カバー部２０の表面に傷を付けることなく、ドーム型カバー部２０の表面に付着した埃や水滴を取り除くことができる。
【００５４】
更に、監視カメラ装置１は、ワイパーブレード３３が厚さが０．５ｍｍ、幅が１８ｍｍとなるように設けられ、幅が１０ｍｍで内周面がドーム型カバー部２０の表面から５ｍｍ離間するように形成された第１及び第２のワイパーアーム３１，３４に挟持されると共に、第１及び第２のワイパーアーム３１，３４の内周面から８ｍｍ突出させて、３ｍｍ分だけドーム型カバー部２０の表面に重なるように設けられている。従って、監視カメラ装置１は、例えばワイパー機構３０を＋１８０度回動させた後に−１８０度回動させる等のターンの際に、従来よりも抵抗を軽減させることができる。
【００５５】
更に、監視カメラ装置１は、第１のワイパーアーム３１の本体部３１ａが第１のワイパーアーム３１の取付部３１ｂの貫通孔３１ｄの軸線からオフセットして設けられ、ワイパーブレード３３の厚さ中心が貫通孔３１ｄの軸線と一致するように設けられている。更に、監視カメラ装置１は、アーム軸４１ａの平面部４１ｂのアーム軸４１ａの軸線に対応する位置にネジ孔４１ｃが形成されている。従って、監視カメラ装置１は、取付部３１ｂを平面部４１ｂに取り付けて、ワイパー機構３０をアーム軸４１ａに取り付けるだけで、容易にワイパーブレード３３の厚さ中心をアーム軸４１ａの軸線と一致させることができる。更に、監視カメラ装置１は、ワイパーブレード３３の厚さ中心が貫通孔３１ｄの軸線と一致するように設けられているので、ワイパー機構３０をアーム軸４１ａに取り付ける作業の際、向きを気にすることなく、取り付けることができ、作業性が良い。
【００５６】
なお、監視カメラ装置１は、ウォッシャ−液をドーム型カバー部２０の表面に吐出するウォッシャ−液吐出機構を、例えばハウジング本体１０の一面１０ａの何れかに設けて、ワイパー機構３０が回動する際に、より確実にドーム型カバー部２０の表面に傷を付けることを防止するようにしても良い。
【符号の説明】
【００５７】
１  監視カメラ装置、１０  ハウジング本体、１０ａ  一面、２０  ドーム型カバー部、３０  ワイパー機構、３１  第１のワイパーアーム、３１ａ  本体部、３１ｂ  取付部、３１ｃ  ザグリ孔、３１ｄ  貫通孔、３１ｅ  排水傾斜面、３２  抜け止めシート、３２ａ  嵌合孔、３３  ワイパーブレード、３３ａ  挿通孔、３３ｂ  内周面、３４  第２のワイパーアーム、３４ａ  ネジ孔、３４ｂ  排水傾斜面、３５  締結部材、３６  締結部材、４０  ワイパー駆動部、４１ａ  アーム軸、４１ｂ  平面部、４１ｃ  ネジ孔、４２  伝達機構、４２ａ  アームギヤー、４２ｂ  モータギヤー、４３  駆動モータ、４３ａ  モータ軸、４４  伝達機構カバー部材、５０  監視カメラ、５１  モータ駆動回路、５２  タイマー、５３  メモリ、５４  制御部（制御回路）
【図１】
2015126526.tif 000003
【図２】
2015126526.tif 000004
【図３】
2015126526.tif 000005
【図４】
2015126526.tif 000006
【図５】
2015126526.tif 000007
【図６】
2015126526.tif 000008
【図７】
2015126526.tif 000009
【図８】
2015126526.tif 000010